(57)【要約】      （修正有）【課題】その表面に凹凸の模様があって見栄えが良い上、ハンドルの把握性や操縦性をも向上させることができるハンドルカバーを提供する。【解決手段】芯層と芯層を外から被覆した表面層２２とからなっており、表面層と芯層とは複数の窪んだ線形部２３により連結されていながら、その全体の表面に複数の区切られた突起部２８が連続的に形成されており、また、複数の線形部は両々交差して複数の交差点２７を形成しており、各交差点に滑止め手段ともなる飾り物２４が固着されている。【選択図】図１
0003136882.tif 000002
【実用新案登録請求の範囲】
【請求項１】
芯層と前記芯層を外から被覆した表面層とからなっており、
前記表面層と前記芯層とは複数の前記表面層から前記芯層の方へ窪んだ線形部により連結されていながら、その全体の表面に複数の区切られた突起部が連続的に形成されており、
また、前記複数の線形部は両々交差して複数の交差点を形成しており、前記各交差点に滑止め手段ともなる飾り物が固着されていることを特徴とするハンドルカバー。
【請求項２】
前記飾り物は、受け皿と、前記受け皿の上面に受けられている飾りと、前記受け皿の底面から突出している上、前記表面層と前記芯層とを貫通してから横へ湾曲している鈎部とからなっていることを特徴とする請求項１に記載のハンドルカバー。
【請求項３】
前記芯層は柔軟性のものであり、
前記複数の線形部は、前記表面層と前記芯層とが縫合わせられることにより前記芯層そのものも窪ませられてなったことを特徴とする請求項１に記載のハンドルカバー。
【請求項４】
その全体が環状となる上、該環状上の各部の横断面が、すべて内周の方に開口がある開環状となっており、
また、前記表面層は可撓性のものであり、前記芯層は柔軟性のものある上、前記芯層の内側に更に前記芯層と前記表面層を前記形状に保持するための硬直性がある支持層が内嵌していることを特徴とする請求項１に記載のハンドルカバー。
【請求項５】
前記表面層と芯層と支持層とは、前記開環状の開口両縁に沿って縫い合わせられたことを特徴とする請求項４に記載のハンドルカバー。
【考案の詳細な説明】
【技術分野】
【０００１】
この考案は、ハンドルカバーに関し、特に例えば、自動車のハンドルを飾るためにそれに装着される、ハンドルカバーに関する。
【背景技術】
【０００２】
従来の自動車のハンドルを飾るハンドルカバーは、通常、図４に示す例のように、その全体が少々弾性のある円環状となる上、該円環状上の各部の横断面が、すべて内周の方に開口４０がある開環状となっていて、該開口４０により自動車のハンドルに装着されてハンドルの見栄えを向上させることができる。このようなハンドルカバーは、まず、硬直性があるが、引っ張られて少々変形しハンドルに装着できる弾性のある支持層４１があり、該支持層４１はその表面に支持されている皮革層４２に飾られている。
【考案の開示】
【考案が解決しようとする課題】
【０００３】
しかし、図示のように、前記表面層としての皮革層４２は、通常、複数の皮革切れ４２１、４２２、４２３、４２４から、縫合わせ加工により繋げられているので、飾りの効果は皮革自体の質感しかなく、且つ、このような構造を有するハンドルは柔軟性がなく、それを握って自動車を操縦する心地があまり良くない上、皮は使用されれば使用されるほどその表面が段段とすべすべなり、ハンドルを握ったり切ったりすることが難しくなる欠点もある。
【０００４】
前記に鑑みて、本考案は、まず、その表面に凹凸の模様があって見栄えが良い上、ハンドルの把握性や操縦性をも向上させることができるハンドルカバーを提供しようとすることを目的とする。
【０００５】
本考案は、そして、その構造に柔軟性があってハンドルの把握性や操縦性をもっと向上させることができる上、ハンドルを握ったり切ったりする時の心地をも良くさせることができるハンドルカバーを提供しようとすることを目的とする。
【課題を解決するための手段】
【０００６】
前記目的を達成するために、本考案は、芯層と前記芯層を外から被覆した表面層とからなっており、前記表面層と前記芯層とは複数の前記表面層から前記芯層の方へ窪んだ線形部により連結されていながら、その全体の表面に複数の互いに区切られた突起部が連続的に形成されているハンドルカバーを提供し、特に、前記複数の線形部は両々交差して複数の交差点を形成しており、前記各交差点に滑止め手段ともなる飾り物が固着されているハンドルカバーをも提供する。
【０００７】
前記窪んだ線形部は、もちろんエンボス加工により表面層だけに形成されても良いが、ハンドルカバーに柔軟性構造があるように、前記芯層は例えば泡ゴムなど柔軟性のあるものであり、前記複数の線形部は、前記表面層と前記芯層とが縫合わせられることにより前記芯層そのものも窪ませられてなったものが良い実施形態例として挙げられる。
【０００８】
そして、前記滑止め手段ともなる飾り物の実施例として、受け皿と、前記受け皿の上面に受けられている飾りと、前記受け皿の底面から突出している上、前記表面層と前記芯層とを貫通してから横へ湾曲している鈎部とからなっているものが挙げられる。なお、前記飾りとして、花模様の刺繍物や鉱石、人工宝石、樹脂パールなどが挙げられる。
【考案の効果】
【０００９】
前記構成によるハンドルカバーは、その全体の表面に複数の互いに区切られた突起部が連続的に形成されているので、立体的に感じられて視覚に感じる印象もいいし、手との滑りを防止することもできる。特に、前記滑止め手段ともなる飾り物があれば、飾り効果及び滑止め効果が大いに向上できる。
【００１０】
また、前記芯層は柔軟性のものであり、前記複数の線形部は、前記表面層と前記芯層とが縫合わせられることにより前記芯層そのものも窪ませられてなったものであれば、ハンドルカバーが柔軟性のあるものになって握られやすくなる上、前記複数の互いに区切られた突起部も自然に形成されうるので、表面層にエンボス加工により線形部を形成する必要がなく、プロセスが簡易になる効果もある。
【考案を実施するための最良の形態】
【００１１】
この考案の上述の目的、その他の目的、特徴および利点は、図面を参照して行う以下の実施例の詳細な説明から一層明らかとなろう。なお、図中、似ている部分には、同一の参照符号を付する。
【００１２】
まず、図１〜図３を参照しながら本考案の実施例のハンドルカバーを説明する。
【００１３】
本実施例のハンドルカバーは、図１に示すように、その全体が少々弾性のある円環状となる上、該円環状上の各部の横断面が、すべて内周の方に開口１０がある開環状（断面Ｃ字形）となっていて、該開口１０により自動車のハンドル（図１の仮想線参照）に装着されることができる。このようなハンドルカバーは、図２をも参照するように、硬直性があるが、引っ張られて少々変形しハンドルに装着できる弾性のある支持層１と、支持層１を外から被覆した柔軟性の芯層２１と、薄くて芯層２１を外から被覆した可撓性の表面層２２とから構成されている。なお、表面層２２と芯層２１とは、開環状の開口１０両縁に沿って支持層１に縫い合わせられてそれらの形状が支持層１の硬直性に支持されて保持されている。
【００１４】
また、表面層２２と芯層２１とは、複数の表面層２２から芯層２１の方へ窪んだ線形部２３により連結されていながら、その全体の表面２２１に複数の区切られた突起部２８が連続的に形成されており、また、複数の線形部２３は両々交差して複数の交差点２７を形成しており、各交差点２７に滑止め手段ともなる飾り物２４が固着されている。
【００１５】
図示のように、複数の線形部２３は、表面層２２と芯層２１とが縫合わせられることにより、柔軟性の芯層２１そのものの線形部２３にあたる箇所が線形に窪ませられる上、可撓性の表面層２２そのものの線形部２３にあたる箇所が芯層２１の線形窪み内に陥ってなっている。それがために、前記複数の突起部２８がハンドルカバー全体の表面２２１に自然と区切られて浮き出されるようになっている。なお、図示の突起部２８は、形状が完全であるものが菱形であるが、その限りでなく、三角形でも四角形でも多角形でも乃至は他の如何なる形状としても良い。
【００１６】
因みに、この実施例のハンドルカバーにおける支持層１は、合成ゴムで形成されているが、天然ゴムなど他の少々弾性がある上、ハンドルカバー全体を断面Ｃ字形の円環状に保持できる硬直性のある材料を使用しても良い。芯層２１は、泡ゴムで形成されているが、他の柔軟性がある材料を使用しても良い。また、表面層２２は、天然皮革で形成されているが、合成皮革など他の質感が良い上、可撓性のある材料を使用しても良い。
【００１７】
また、図３をも参照すると、この実施例のハンドルカバーにおける飾り物２４は、受け皿２４１と、受け皿２４１の上面に受けられている飾り２４２と、受け皿２４１の底面から突出している上、表面層２２と芯層２１とを貫通してから横へ湾曲している鈎部２４３とからなっている。飾り２４２は、人工宝石で形成されている。なお、図２を参照するように、鈎部２４３は本来先細の釘であって、表面層２２と芯層２１とを貫通してから横へ折り曲げられてなっているものである。
【００１８】
即ち、このような構成によるハンドルカバーは、図示のように、その全体の表面２２１に複数の区切られた突起部２８がある上、滑止め手段ともなる飾り物２４が固着されているので、立体的な感じが極めて強く、飾り効果及び滑止め効果が大いに向上できる。
【００１９】
本考案は、その精神及び必須の特徴事項から逸脱することなく他のやり方で実施することができる。従って、本明細書に記載した好ましい実施例は例示的なものであり、限定的なものではない。
【産業上の利用可能性】
【００２０】
叙上のように、本考案の前記構造を有するハンドルカバーは、その全体の表面に複数の互いに区切られた突起部が連続的に形成されているので、立体的に感じられて視覚に感じる印象もいいし、手との滑りを防止することもできる。特に、前記滑止め手段ともなる飾り物があれば、飾り効果及び滑止め効果が大いに向上できる。
【００２１】
また、前記芯層は柔軟性のものであり、前記複数の線形部は、前記表面層と前記芯層とが縫合わせられることにより前記芯層そのものも窪ませられてなったため、ハンドルカバーが柔軟性のあるものになって握られやすくなる上、前記複数の互いに区切られた突起部も自然に形成されうるので、表面層にはエンボス加工により線形部を形成する必要がなく、プロセスが簡易になる効果もある。
【図面の簡単な説明】
【００２２】
【図１】本考案の一実施例のハンドルカバーの外観構成を示す斜視図。
【図２】本考案の一実施例のハンドルカバーの拡大分解図。
【図３】本考案の一実施例のハンドルカバーの部分拡大断面図。
【図４】従来例のハンドルカバーの外観構成を示す斜視図。
【符号の説明】
【００２３】
１…支持層、１０…開口、２１…芯層、２２…表面層、２２１…表面、２３…線形部、２４…飾り物（滑止め手段）、２４１…受け皿、２４２…飾り、２４３…鈎部、２７…交差点、２８…突起部。
【図１】
0003136882.tif 000003
【図２】
0003136882.tif 000004
【図３】
0003136882.tif 000005
【図４】
0003136882.tif 000006